(57)【要約】  本発明は、開閉操作が容易であり且つツマミ部の耐久性が確保されているとともに、外観意匠の自由度が高い引輪及びフック金具と、その製造方法を提供する。引輪の製造方法は、複数の型（２２，２２）により原パーツ（２３）を挟んで圧延する構造の圧延装置（２１）に、開閉操作部材（３）を成形する前の原パーツ（２３）を固定し、各型（２２，２２）により原パーツ（２３）を圧延し、ツマミ部（９）における使用者が指などで触れる被押圧部（９ｂ）と、被押圧部（９ｂ）と摺動部（８）をつなぎ且つ被押圧部（９ｂ）よりも幅の狭い頸部（９ａ）とを成形する。
2012086275.tif 000002
【特許請求の範囲】
【請求項１】
中空の円環部材と、付勢部材と、開閉操作部材とを備えており、円環部材は、環の一部が分断して環内周側に他の引輪やフック金具を通すための通し部が設けてあり、周壁の外周側には、中空部と通じるスリットが設けてあり、付勢部材は、円環部材の中空部に内蔵してあり、開閉操作部材は、円環部材の中空部に摺動自在に内蔵する半円弧状をなす摺動部と、摺動部の外周側から円環部材のスリットを挿通して外側に向けて突出するツマミ部とを有しており、摺動部は、付勢部材に付勢されて中空部を摺動して一部が円環部材の通し部を閉塞する位置にあり、付勢部材の付勢力に抗してツマミ部を引くことにより、摺動部が円環部材内に引っ込んで通し部が開放する引輪の製造方法であって、
複数の型により原パーツを挟んで圧延する構造の圧延装置に、開閉操作部材を成形する前の原パーツを固定し、各型により原パーツを圧延し、ツマミ部における使用者が指などで触れる被押圧部と、被押圧部と摺動部をつなぎ且つ被押圧部よりも幅の狭い頸部を成形することを特徴とする引輪の製造方法。
【請求項２】
中空部を有する円環部材と、付勢部材と、開閉操作部材とを備えており、円環部材は、環の一部が分断して環内周側に他の円環部材を通すための通し部が設けてあり、周壁の外周側には、中空部と通じるスリットが設けてあり、付勢部材は、円環部材の中空部に内蔵してあり、開閉操作部材は、円環部材の中空部に摺動自在に内蔵する半円弧状をなす摺動部と、摺動部の外周側から円環部材のスリットを挿通して外側に向けて突出するツマミ部とを有しており、摺動部は、付勢部材に付勢されて中空部を摺動して一部が円環部材の通し部を閉塞する位置にあり、付勢部材の付勢に抗してツマミ部を引くことにより、円環部材内に引っ込んで通し部が開放する引輪であって、
ツマミ部は、指等が触れる被押圧部と、摺動部と一体的に形成してあり且つスリットから突出して被押圧部と連続する頸部とを有し、被押圧部は、両面を型で圧延されることで円環部材よりも幅広に形成してあり、被押圧部と頸部及び摺動部と頸部のそれぞれの境界部分は、頸部から指当接部及び摺動部へ向かうに従って次第に広がる傾斜状に形成してあることを特徴とする引輪。
【請求項３】
フック部材と、付勢部材と、開閉操作部材とを備えており、フック部材は、一部が分断して内周側に他の円環部材を通すための通し部が設けてあるほぼＵ字状をなしており、開閉操作部材は、フック部材に回動自在に軸支してあり、軸支された一側が回動したときに通し部を開放又は閉塞するともに、他側がその開閉を操作するツマミ部となるほぼＶ字状をなし、付勢部材は、フック部材の軸部に取り付けてあり、開閉操作部材を付勢して通し部が閉塞する状態としており、開閉部は、付勢部材の付勢力に抗してツマミ部を引くことにより、フック金具から離れる方向に回動して通し部が開放するフック金具の製造方法であって、
複数の型により原パーツを挟んで圧延する構造の圧延装置に、開閉操作部材となる原パーツを固定し、各型により原パーツを圧延し、ツマミ部における使用者が指などで触れる被押圧部と、被押圧部と開閉部をつなぎ且つ被押圧部よりも幅の狭い頸部とを成形することを特徴とするフック金具の製造方法。
【請求項４】
フック部材と、付勢部材と、開閉操作部材とを備えており、フック部材は、一部が分断して内周側に他の円環部材を通すための通し部が設けてあるほぼＵ字状をなしており、開閉操作部材は、フック部材に回動自在に軸支してあり、回動したときに一側部が通し部を開放又は閉塞するともに、他側がその開閉を操作するツマミ部となるほぼＶ字状をなし、付勢部材は、フック部材の軸部に取り付けてあり、開閉操作部材を付勢して通し部が閉塞する状態としており、開閉部は、付勢部材の付勢力に抗してツマミ部を引くことにより、フック金具から離れる方向に回動して通し部が開放するフック金具であって、
ツマミ部は、指等が触れる被押圧部と、一側部と一体的に形成してあり且つ被押圧部と連続する頸部とを有し、被押圧部は、両面を型で圧延されることでフック部材よりも幅広に形成してあり、被押圧部と頸部及び一側と頸部のそれぞれの境界部分は、頸部から被押圧部及び開閉部へ向かうに従って次第に広がる傾斜状に形成してあることを特徴とするフック金具。
【請求項５】
ツマミ部は、開閉操作部材が閉じる側に垂直位置から傾いていることを特徴とする請求項２又は４記載の引輪及びフック金具。
【請求項６】
両側から型で圧延することにより、使用者ネームやマーク等に代表される装飾部が、被押圧部と一体的で且つ凸状に隆起していることを特徴とする請求項２、４又は５記載の引輪及びフック金具。
【発明の詳細な説明】
【技術分野】
【０００１】
本発明は、ネックレスやブレスレット、アンクレット等の鎖状装身具の連結に使用する引輪及びフック金具と、その製造方法に関するものである。
【背景技術】
【０００２】
ネックレスやブレスレット、アンクレット等の鎖状装身具には、身につけるときに、鎖の両端を留めるための引輪（スプリングリングとも呼ばれる。）やフック金具（ロブスターとも呼ばれる。）が設けてある。そして、引輪やフック金具は、全体が環状をなしており、環の外周に設けてあるツマミ部を、内蔵されたコイルスプリング等の付勢部材の付勢力に抗して爪で引くことにより環の一部が開放する。しかしながら、従来の引輪やフック金具のツマミ部は、使用者が操作するための被押圧部が小さく形成してあるため、大変操作しづらく、さらに、ツマミ部を引いたときに爪を割るといった問題点もあった。そこで、前述のような問題点を鑑みて発明された特開２００８−３６２４４号公報に開示される引輪及びフック金具があり、この引輪及びフック金具は、金属板を打ち抜いて頸部と被押圧部を有する杓文字のような形状をなす開閉操作部材の原パーツを取り出し、その原パーツのツマミ部該当部分を９０°に捻って引輪の円環部材やフック金具のフック部材の径よりも幅広の被押圧部を有するツマミを形成するものであり、これにより、使用者は爪ではなく指で簡単に操作できるものであった。
【先行技術文献】
【特許文献】
【０００３】
【特許文献１】特開２００８−３６２４４号公報
【発明の概要】
【発明が解決しようとする課題】
【０００４】
上記の特許文献１に開示されるものでは、金属板から打ち抜いた開閉操作部材となる原パーツのツマミ部該当部分を９０°に捻って頸部と被押圧部を形成することから、頸部にツマミ部を捻ったときの大きな負荷がかかり、ツマミ部の耐久性、あるいは装身具の装着時に付着する使用者の汗等による化学的な負荷による早期の劣化が懸念される。また、ツマミ部については、金属板に対して所望の形状や寸法で打ち抜くか、あるいは、ツマミ部該当部分を捻った後にツマミ部の被押圧部の指が触れる被押圧面に削り加工や溶接をして凹凸をつける程度に限定されてしまい、このことから、いったん金属板から打ち抜いてしまえば、ツマミ部の外観意匠性や寸法を自由に変更することが難しいものであった。
本発明は、上記課題を鑑みてなされたものであり、開閉操作が容易であり且つツマミ部の耐久性が確保されているとともに、外観意匠の自由度が高い引輪及びフック金具と、その製造方法を提供することにある。
【課題を解決するための手段】
【０００５】
本発明のうち第１の観点に係る発明は、中空の円環部材と、付勢部材と、開閉操作部材とを備えており、円環部材は、環の一部が分断して環内周側に他の引輪やフック金具を通すための通し部が設けてあり、周壁の外周側には、中空部と通じるスリットが設けてあり、付勢部材は、円環部材の中空部に内蔵してあり、開閉操作部材は、円環部材の中空部に摺動自在に内蔵する半円弧状をなす摺動部と、摺動部の外周側から円環部材のスリットを挿通して外側に向けて突出するツマミ部とを有しており、摺動部は、付勢部材に付勢されて中空部を摺動して一部が円環部材の通し部を閉塞する位置にあり、付勢部材の付勢力に抗してツマミ部を引くことにより、摺動部が円環部材内に引っ込んで通し部が開放する引輪の製造方法であって、複数の型により原パーツを挟んで圧延する構造の圧延装置に、開閉操作部材を成形する前の原パーツを固定し、各型により原パーツを圧延し、ツマミ部における使用者が指などで触れる被押圧部と、被押圧部と摺動部をつなぎ且つ被押圧部よりも幅の狭い頸部を成形することを特徴とする引輪の製造方法である。【０００６】
本発明のうち第２の観点に係る発明は、中空部を有する円環部材と、付勢部材と、開閉操作部材とを備えており、円環部材は、環の一部が分断して環内周側に他の円環部材を通すための通し部が設けてあり、周壁の外周側には、中空部と通じるスリットが設けてあり、付勢部材は、円環部材の中空部に内蔵してあり、開閉操作部材は、円環部材の中空部に摺動自在に内蔵する半円弧状をなす摺動部と、摺動部の外周側から円環部材のスリットを挿通して外側に向けて突出するツマミ部とを有しており、摺動部は、付勢部材に付勢されて中空部を摺動して一部が円環部材の通し部を閉塞する位置にあり、付勢部材の付勢に抗してツマミ部を引くことにより、円環部材内に引っ込んで通し部が開放する引輪であって、ツマミ部は、指等が触れる被押圧部と、摺動部と一体的に形成してあり且つスリットから突出して被押圧部と連続する頸部とを有し、被押圧部は、両面を型で圧延されることで円環部材よりも幅広に形成してあり、被押圧部と頸部及び摺動部と頸部のそれぞれの境界部分は、頸部から指押圧部及び摺動部へ向かうに従って次第に広がる傾斜状に形成してあることを特徴とする引輪である。【０００７】
本発明のうち第３の観点に係る発明は、フック部材と、付勢部材と、開閉操作部材とを備えており、フック部材は、一部が分断して内周側に他の円環部材を通すための通し部が設けてあるほぼＵ字状をなしており、開閉操作部材は、フック部材に回動自在に軸支してあり、軸支された一側が回動したときに通し部を開放又は閉塞するともに、他側がその開閉を操作するツマミ部となるほぼＶ字状をなし、付勢部材は、フック部材の軸部に取り付けてあり、開閉操作部材を付勢して通し部が閉塞する状態としており、開閉部は、付勢部材の付勢力に抗してツマミ部を引くことにより、フック金具から離れる方向に回動して通し部が開放するフック金具の製造方法であって、複数の型により原パーツを挟んで圧延する構造の圧延装置に、開閉操作部材となる原パーツを固定し、各型により原パーツを圧延し、ツマミ部における使用者が指などで触れる被押圧部と、被押圧部と開閉部をつなぎ且つ被押圧部よりも幅の狭い頸部とを成形することを特徴とするフック金具の製造方法である。【０００８】
本発明のうち第４の観点に係る発明は、フック部材と、付勢部材と、開閉操作部材とを備えており、フック部材は、一部が分断して内周側に他の円環部材を通すための通し部が設けてあるほぼＵ字状をなしており、開閉操作部材は、フック部材に回動自在に軸支してあり、回動したときに一側部が通し部を開放又は閉塞するともに、他側がその開閉を操作するツマミ部となるほぼＶ字状をなし、付勢部材は、フック部材の軸部に取り付けてあり、開閉操作部材を付勢して通し部が閉塞する状態としており、開閉部は、付勢部材の付勢力に抗してツマミ部を引くことにより、フック金具から離れる方向に回動して通し部が開放するフック金具であって、ツマミ部は、指等が触れる被押圧部と、一側部と一体的に形成してあり且つ被押圧部と連続する頸部とを有し、被押圧部は、両面を型で圧延されることでフック部材よりも幅広に形成してあり、被押圧部と頸部及び一側と頸部のそれぞれの境界部分は、頸部から被押圧部及び開閉部へ向かうに従って次第に広がる傾斜状に形成してあることを特徴とするフック金具である。【０００９】
本発明のうち第５の観点に係る発明は、ツマミ部は、開閉操作部材が閉じる側に垂直位置から傾いていることを特徴とする引輪及びフック金具である。【００１０】
本発明のうち第６の観点に係る発明は、両側から型で圧延することにより、使用者ネームやマーク等に代表される装飾部が、被押圧部と一体的で且つ凸状に隆起していることを特徴とする引輪及びフック金具である。
【発明の効果】
【００１１】
本発明の第１及び第３の観点に係る発明によれば、開閉操作部材におけるツマミ部を構成する被押圧部と頸部を圧延して成形することにより、工程において捻り等の無理な変形力を加えないので、ツマミ部の耐久性が向上し、さらに、型の変更により形状や寸法を制限されず自由度の高い引輪及びフック金具を提供できる。【００１２】
本発明の第２及び第４の観点に係る発明によれば、ツマミ部を構成する被押圧部と頸部との境界部分、及び頸部と他の開閉操作部材の他部（摺動部、開閉部）との境界部分が頸部を基点として次第に広がる傾斜状に形成してあることから、各境界部分が堅牢になり、被押圧部へ加わる使用時の荷重に対しても高い耐久性を有する引輪及びフック金具が形成される。【００１３】
本発明の第５の観点に係る発明によれば、ツマミ部が開閉操作部材を閉じる側に垂直位置から傾いていることにより、開閉操作部材を操作するときに、ツマミ部に対して指の腹の部分が平行に当たり、指の押圧力が分散した状態で引輪やフック金具の彎曲に沿って引くことができる。これにより、操作時には指にツマミ部が食い込むことがなく、引輪やフック金具の使用感の向上を図ることができる。さらに、ツマミ部９を単に曲げ加工して曲げて傾斜部を設けたものに比べ、金属への負荷が軽減されることから、傾斜部を設けつつも堅牢なツマミ部を有する引輪やフック金具が提供できる。【００１４】
本発明の第６の観点に係る発明によれば、両側から型で挟んで圧延することにより、被押圧部から隆起し且つ被押圧部と一体的な装飾部が成形されるので、従来の手法である溶接や削り出しによって装飾部を隆起させたものと比較し、装飾部と被押圧部の継目や縁部の雑な処理が解消され、付加価値の高い引輪やフック金具が提供できるようになる。
【図面の簡単な説明】
【００１５】
【図１】（ａ）（ｂ）は、図２（ｂ）中Ａを拡大し、本実施による引輪の製造方法の一手順を示す簡略化した縦断面図である。
【図２】（ａ）は、本実施による引輪の製造方法に使用する圧延装置の全体を示す簡略化した縦断面図であり、（ｂ）は、（ａ）における圧延時の状態を示す縦断面図である。
【図３】（ａ）は、本実施の製造方法により得られた引輪の側面から見た縦断面図であり、（ｂ）は、（ａ）中Ｃを拡大して示す側面図であり、（ｃ）は、（ａ）中Ｂ−Ｂ線縦断面図である。
【図４】本発明の他の実施形態の引輪を示すものであり、（ａ）は、正面から見た縦断面図であり、（ｂ）は、開閉操作部材の側面図であり、（ｃ）は、（ａ）中Ｄ−Ｄ線を断面し、そのうちの開閉操作部材を側面から見た縦断面図である。
【図５】同じく、本発明の他の実施形態の引輪を示すものであり、（ａ）は、正面から見た縦断面図であり、（ｂ）は、開閉操作部材の側面図であり、（ｃ）は、（ａ）中Ｅ−Ｅ線を縦断面し、開閉操作部材の側面から見た縦断面図である。
【図６】（ａ）は、本実施によるフック金具の側面図であり、（ｂ）は、正面図であり、（ｃ）は、開閉操作部材の側面図である。
【図７】（ａ）（ｂ）は、本実施によるフック金具における開閉操作部材のツマミ部を成形する工程を示す要部を拡大した縦断面図である。
【図８】（ａ）（ｂ）は、本発明の他の実施形態の引輪の製造方法の一手順を示す簡略化した縦断面図である。
【図９】図８の製造方法により成形された開閉操作部材を適用した引輪を示すものであり、（ａ）は、引輪の側面から見た縦断面図であり、（ｂ）は、頸部の拡大図であり、（ｃ）は（ａ）中Ｆ−Ｆ線縦断面図である。
【図１０】（ａ）（ｂ）は、図９に示す引輪の使用状態をあらわす側面図である。
【図１１】（ａ）（ｂ）は、それぞれツマミ部の傾斜角度を変更して使用したときの側面図である。
【図１２】（ａ）（ｂ）は、それぞれツマミ部の傾斜角度を変更して使用したときの側面図である。
【発明を実施するための形態】
【００１６】
以下に、図面に基づいて本実施による引輪の実施の形態を説明する。
本実施による引輪は、図３（ａ）のように、中空部Ｓを有する円環部材１と、付勢部材２と、開閉操作部材３とから構成されている。
【００１７】
円環部材１は、本実施のものでは１８金のパイプ材を環状に彎曲成形したものが使用されており、その環の一部が分断してほぼＣ字状をなすとともに、Ｃ字の分断箇所は、ネックレスやブレスレット等の鎖状装身具を構成する他の円環部材１を通す通し部４となっている。また、円環部材１の周壁の外周側には、中空部Ｓと通じるスリット５が設けてあり、このスリット５は、円環部材１の周方向に沿って、少なくとも通し部４の分断幅よりも長く伸びている。また、スリット５とは通し部４を挟んだ反対側の周壁内周側には、周壁の一部を中空部Ｓ内に屈曲して形成する止部６が設けてあり、さらに、周壁の外周側には、本実施による引輪を鎖状装身具の他の部材等と連結する連結環７が設けてある（図３（ａ）参照）。
【００１８】
付勢部材２は、本実施のものではコイルスプリングが使用してあり、円環部材１の中空部Ｓに摺動自在に内蔵してあるが、前述の円環部材１の止部６により、中空部Ｓでそれ以上摺動しないように規制してある（図３（ａ）参照）。
【００１９】
開閉操作部材３は、円環部材１の中空部Ｓに摺動自在に内蔵する半円弧状をなす摺動部８と、その摺動部８の外周側から円環部材１のスリット５を挿通して外側に向けて突出するツマミ部９を有しており、開閉操作部材３は、後述で詳細に説明するが、板材を打ち抜いて形成された原パーツ２３を加工したものである。また、摺動部８は、付勢部材２に付勢されて中空部Ｓを摺動して半円弧状の一部が円環部材１の通し部４を閉塞する位置にあるが、使用者が付勢部材２の付勢に抗してツマミ部９を指で押すことにより、通し部４が開放して、引輪に連結してある他の部材を外すこと、または再び通すことができる。そして、ツマミ部９は、摺動部８の半円弧状の外周側から外方向に向けて突出する頸部９ａと、その頸部９ａと一体的に連続して使用者の指が触れる被押圧部９ｂとを有しており、被押圧部９ｂは、図３（ｃ）のように、本実施のものでは正面から見てハート型をなしており、摺動部８の伸びる方向とは直交する方向に広がる状態で形成してあり、その一面側が指で押す被押圧面９ｃとなっている。また、図３（ｂ）のように、被押圧部９ｂと頸部９ａ及び、摺動部８と頸部９ａのそれぞれの境界部分１０は、頸部９ａから被押圧部９ｂへ、さらに、頸部９ａから摺動部８へ向かうに従って次第に広がる傾斜状に形成してあることにより、繰り返しの開閉操作に堪え得るようにツマミ部９の耐久性と、継目のない連続的な外観意匠性を醸し出すことによる装飾性の向上を図っている。
【００２０】
上記のように構成する引輪のうち、開閉操作部材３のツマミ部９は、圧延装置２１を用いて成形される。ここで、本実施の製造方法に使用する圧延装置２１について簡単に説明すると、図２（ａ）（ｂ）のように、圧延装置２１は、図示にある左右二方向に配置した型２２，２２で原パーツ２３を圧延するプレス式のものである。具体的には、図２（ａ）のように、上ラム２４に支持されて上下動する加圧ブロック２５，２５と、プレスボルスタ２７の上に載置されて左右動する型保持ブロック２６，２６と、原パーツ２３を固定する材料固定部２８とを有しており、加圧ブロック２５，２５と型保持ブロック２６，２６は、材料固定部２８を挟む両側の位置に配置してあり、さらに、両側の型保持ブロック２６，２６は、スプリングダンパ２９，２９によって材料固定部２８から常に離れる方向に付勢されている。また、加圧ブロック２５，２５と型保持ブロック２６，２６が傾斜面３０，３０同士で当接しており、加圧ブロック２５，２５を下げることで、図２（ｂ）のように、型保持ブロック２６，２６は、スプリングダンパ２９，２９の付勢力に逆らって傾斜面３０，３０で押されながら材料固定部２８に向かい、その先端に取り付けてある型２２，２２で原パーツ２３を圧延する。
【００２１】
上述した圧延装置２１に開閉操作部材３を固定して圧延することにより、図１（ａ）のように、両型２２，２２の間に挟まれた原パーツ２３が圧延されて、図１（ｂ）のように、正面から見てハート型の被押圧部９ｂを有する開閉操作部材３を成形する。また、本実施による型２２，２２は、原パーツ圧延面２２ａの下部に、丸みを帯びた傾斜部２２ｂが設けてあり、これにより、ツマミ部９における頸部９ａと被押圧部９ｂ、頸部９ａと摺動部８のそれぞれの境界部分１０に、頸部９ａから被押圧部９ｂおよび頸部９ａから摺動部８に向かうに従って次第に広がる傾斜部が設けられるので、繰り返し操作されるツマミ部９の耐久性が高く、しかも、連続的な外観意匠性を有する開閉操作部材３が成形できる。また、本実施のものでは、開閉操作部材３を正面視したときにハート型の被押圧部９ｂを有するツマミ部９が形成されるが、そのハートの幅寸法は、円環部材１の径よりも寸法が大きくなっている。これは、板材から原パーツ２３を取るときに、ツマミ部９の形成部分が大きくなるように板材から抜き出し、さらに、所望する形状・大きさの頸部９ａ及び被押圧部９ｂとほぼ一致する凹部２２ｃを有する型２２，２２で圧延しており、本実施のものでは、被押圧部９ｂを円環部材１の径よりも幅広に成形して、使用者が開閉操作部材３を爪ではなく指で簡単に押して操作できる構造としている。
【００２２】
そして、上記のように型２２，２２を交換して圧延することにより、図４（ａ）のように、被押圧部９ｂにネーム（装飾部）３１の入った引輪を形成することができる。この引輪の開閉操作部材３は、図４（ｂ）のように、ネーム３１が被押圧部９ｂの被押圧面９ｃから隆起しており、これにより、ツマミ部９において装飾性に加えて操作時の滑り止めの効果も奏するものである。そして、本実施のものは、圧延により成形されるものであるから、図４（ｃ）のように、ネーム３１が被押圧部９ｂと一体的に連続して成形されることにより、耐久性や外観意匠性の面で高い精度を有する装身具の提供が可能となる。
【００２３】
図５（ａ）（ｂ）は、上記のネーム３１入りの引輪と同様に、本発明の他の実施形態を示すものであり、原パーツ２３を圧延して正面から見たときに被押圧部９ｂが星型をなすとともに、その被押圧面９ｃに窪み状のマーク（装飾部）３２の入った引輪を形成したものである。この場合でも図５（ｃ）のように、マーク３２と被押圧部９ｂとが一体的に連続して成形されるので、型２２，２２の変更によってツマミ部９の形状や寸法が自在に設定でき、したがって、意匠性において自由度の高い引輪が提供できる。
【００２４】
また、本発明は、開閉操作部材３のツマミ部９を成形するものであるため、上述した引輪に限定されず、引輪のものと共通の製造方法によりフック金具の開閉操作部材５３の成形も可能である。ここでフック金具について説明すると、図６（ａ）のように、フック部材５１と、付勢部材５２と、開閉操作部材５３から構成されている。
【００２５】
フック部材５１は、本実施のものでは１８金を成形したものが使用されており、一部が分断して内周側に他のフック金具や円環部材を通すための通し部５４が設けてあるほぼＣ字状をなしている。また、図６（ｂ）のように、フック部材５１の一部が蓋５５と分割形成してあるとともに、その分割された内部には軸部５６が設けてある。さらに、蓋５５はフック金具の完成時にはロウ付けしてあり、通常は蓋５５が外れない状態となっており、また、フック部材５１のＣ字の外周側には、開閉操作部材５３のツマミ部６０を外部に突出させるためのスリット５７が設けてある。
【００２６】
開閉操作部材５３は、図６（ｃ）のように、軸穴５８を中心に一側が開閉部５９、また、他側がツマミ部６０となる全体がほぼＶ字状をなしており、フック部材５１の軸部５６に回動自在に軸支される。また、開閉操作部材５３の軸穴５８の外周部には、バネ受穴６１が設けてある。
【００２７】
付勢部材５２は、本実施のものでは、金属線を一巻きしたねじりバネが使用されており、この付勢部材５２は、開閉操作部材５３のバネ受穴６１に入るとともに、軸部５６に挿通され、両端部をそれぞれ開閉操作部材５３の開閉部５９と、フック部材５１に係止して方向が変わらない状態で取り付けてある。これにより、付勢部材５２は、開閉操作部材５３を付勢してフック部材５１の通し部５４を常に開閉部５９で閉塞する状態としており、付勢部材５２の付勢力に抗してツマミ部６０を引くことにより通し部５４が開放し、他の円環部材やフック金具を通して連結できるようになっている（図６（ａ）参照）。
【００２８】
本実施によるフック金具においても、図７（ａ）（ｂ）のように、上述した引輪の実施形態で説明したものと同じ圧延装置２１を使用し、材料固定部２８に固定した開閉操作部材５３の成形前の原パーツ６４に対して両側から所定の型６３，６３で圧延することにより、図６（ｂ）のように、フック部材５１の正面側の厚みよりもツマミ部６０の被押圧部６０ｂが幅広に成形される。また、図６（ｃ）を参照すれば、頸部６０ａと被押圧部６０ｂ、及び頸部６０ａと開閉部５９との境界部分６２，６２についても、頸部６０ａから被押圧部６０ｂへ、さらに、頸部６０ａから開閉部５９へ向かうに従って次第に広がる傾斜状に形成してあることにより、繰り返しの開閉操作に堪え得るようにツマミ部６０の耐久性と、継目のない連続的な外観意匠性を醸し出すことによる装飾性の向上が図られている。このことから、型６３，６３を変更して圧延することにより、上記の引輪同様に、フック金具における開閉操作部材５３のツマミ部６０が所望の形状、寸法で成形できる。
【００２９】
本発明の引輪及びフック金具の開閉操作部材３，５３のツマミ部９，６０の形態は、上記実施形態のものに限らず、圧延装置２１の型２２，６３を適宜変更することにより、自由な形状、寸法に成形できる。また、圧延装置２１は、本実施のものでは左右に型２２，６３を配置する二方向式のものを使用したが、型２２，６３の配置関係が上下でもよいし、前後左右あるいは上下左右の四方向式、その他様々な方式のものを使用してもよい。また、圧延後の被押圧部の外周縁には、その形状によってバリが発生することがあり、この場合にはトリーミング加工を施すことで滑らかに仕上げるものである。
【００３０】
本発明の引輪及びフック金具の他の実施形態として、上述した圧延装置２１を使用し、図８（ａ）のように、このうちの引輪の開閉操作部材３を例として挙げるが、その開閉操作部材３の原パーツ２３を傾けて固定し、図８（ｂ）のように圧延することにより、ツマミ部９が開閉操作部材３の閉じ方向に傾斜したものが成形される。具体的に図９（ａ）〜（ｃ）のように、開閉操作部材３のツマミ部９は、開閉操作部材３が閉じる側に垂直位置Ｐから傾斜しており、その傾斜角度は、１５°に設定してある。このように形成すると、ツマミ部９を指Ｆで押圧して引いたときに、図１０（ａ）のように、傾斜したツマミ部９の先端に指Ｆがかかり、てこの原理で軽い力で開閉操作部材３を引くことができる。さらに、図１０（ｂ）のように、開閉操作部材３を開く方向に引いたとき、指Ｆがツマミ部９に引っ掛かりがよく軽い力をかけた状態のまま円環部材１の外周に沿って引くことができる。また、ツマミ部９の傾斜角度については、本実施形態ではその角度を１５°としているが、垂直位置Ｐから５°〜２５°の範囲内であれば、操作時のツマミ部９の被押圧部９ｂに対する指Ｆのかかりがよく、軽い力で開閉操作部材３を引くことができるようになる。また、ツマミ部９の傾斜角度が５°よりも鋭角であれば、図１１（ａ）（ｂ）のように、ツマミ部９の先端が指Ｆから離れる方向に向いて、被押圧部９ｂを押したときに、そのツマミ部９の先端が強い力で押圧しなければならず、開閉操作部材３の操作時に突き刺すような痛みを伴うことになる。さらに、図１２（ａ）（ｂ）のように、ツマミ部９の傾斜角度が１５°よりも鈍角であれば（実施のものは、開閉操作部材３の開き方向に垂直位置Ｐから３５°傾斜）、ツマミ部９を指Ｆの腹の部分で押圧したときに、被押圧部９ｂに対する指Ｆの引っ掛かりが弱いことから、ツマミ部９の被押圧部９ｂに指Ｆの押圧力がうまく伝わらず、被押圧部９ｂを指Ｆで押しにくくなる不都合がある。
【符号の説明】
【００３１】
１  円環部材
２  コイルスプリング（付勢部材）
３，５３  開閉操作部材
４，５４  通し部
５  ５７  スリット
８  摺動部
９，６０  ツマミ部
９ａ，６０ａ  頸部
９ｂ，６０ｂ  被押圧部
１０，６２  境界部分
２１  圧延装置
２２，６３  型
２３，６４  原パーツ
３１  ネーム（装飾部）
３２  マーク（装飾部）
５１  フック部材
５２  ねじりバネ（付勢部材）
５６  軸部
５９  開閉部（一側部）
Ｓ  中空部
【図１】
2012086275.tif 000003
【図２】
2012086275.tif 000004
【図３】
2012086275.tif 000005
【図４】
2012086275.tif 000006
【図５】
2012086275.tif 000007
【図６】
2012086275.tif 000008
【図７】
2012086275.tif 000009
【図８】
2012086275.tif 000010
【図９】
2012086275.tif 000011
【図１０】
2012086275.tif 000012
【図１１】
2012086275.tif 000013
【図１２】
2012086275.tif 000014
【国際調査報告】
2012086275.tif 000015
2012086275.tif 000016